(57)【要約】      （修正有）【課題】照明器具を厚くすることなく、常夜灯を略中心に設けた照明器具を提供する。【解決手段】光源と、常夜灯と、前記光源に電力を供給する回路基板を備える照明器具において、前記照明器具の略中央部には、回路基板ホルダ６を備えており、前記回路基板ホルダ６は、前記回路基板及び常夜灯基板５を保持し、前記常夜灯基板５には、常夜灯が設けられている。【選択図】図１
2014056724.tif 000002
【特許請求の範囲】
【請求項１】
光源と、常夜灯と、
前記光源に電力を供給する回路基板を備える照明器具において、
前記照明器具の略中央部には、回路基板ホルダを備えており、
前記回路基板ホルダは、前記回路基板及び常夜灯基板を保持し、
前記常夜灯基板には、常夜灯が設けられていることを特徴とする照明器具。
【請求項２】
前記常夜灯基板は、常夜灯基板カバーを介して、前記回路基板ホルダに保持されていることを特徴とする請求項１に記載の照明器具。
【発明の詳細な説明】
【技術分野】
【０００１】
本発明は、天井面等に取り付ける照明器具に関する。
【背景技術】
【０００２】
従来から、住宅等の室内の照明には、白熱電球、蛍光灯等の光源を備える照明装置が用いられている。近年では、低消費電力、長寿命等の特性を有していて、白熱電球、蛍光灯等を光源とするよりも、薄型化することができるＬＥＤを光源とした照明装置が盛んに開発されている。
【０００３】
薄型の照明器具の一例として、特許文献１には、主に赤外線リモコン信号受信部、照度センサ、常夜灯などの補助部品によって、発光部に暗部を形成することを回避できる照明器具について開示されている。
【０００４】
図７は、上記特許文献１に関する当該照明器具の天井面への取付状態を示す断面図であり、２５は器具本体、２６は点灯装置、２７は反射板、２８はシャーシ、２９はアダプタガイド、３０は光源部、３１は導光板、３２は補助部品ユニット、３３は本体枠、３４はカバー部材である。補助部品ユニット３２は、赤外線リモコン信号受信部３２ａ、照度センサ３２ｂ、補助光源としての常夜灯３２ｃ等から構成される。また、Ａはアダプタ、Ａ１は、アダプタＡの係止部Ａ１、Ｃは天井面である。このように、補助部品ユニットを導光板の発光領域外であって外周縁部に配設するため、暗部を形成することを回避できる。
【０００５】
また、特許文献２には、常夜灯を器具本体の略中心部に設ける照明器具について開示されている。図８は、当該照明器具を示す側断面図であり、３５は照明器具、３６は器具本体、３７はセード固定具、３８はセード、３９は環状蛍光ランプ、４０はリモコン受信部ユニット、４１はリモコン用ブラケット、４２は常夜灯である。Ｒは、環状蛍光ランプの最小内周径である。
【０００６】
このように、常夜灯を器具本体の略中心に設けて、セード面の略中心位置から環状ランプの最小内周径までの部分を有効照射範囲とすることで、常夜灯の点灯時にセードの固定具などによって常夜灯の有効照射範囲内に影が生じることを防止できる。
【先行技術文献】
【特許文献】
【０００７】
【特許文献１】特開２０１２−５９４７４号公報
【特許文献２】特開２００３−２４２８０８号公報
【発明の概要】
【発明が解決しようとする課題】
【０００８】
しかしながら、特許文献１に記載の技術は、常夜灯を照明器具の外周縁部に設けていて、非中心部から発光することになり、セードに映る常夜灯の照射光の美観が損なわれる。仮に、照明器具の中心に常夜灯を設けようとしても、天井面Ｃに器具本体を設置するとアダプタＡが係合されるため、常夜灯を器具本体の中心に設けることは困難である。
【０００９】
また、特許文献２に記載の発明は、常夜灯を照明器具の略中心に設けているものの、前記常夜灯は、器具本体の下方に設けられたリモコン受信部ユニットの下面に設けられているため、照明器具の厚みはかえって増しており問題である。
【００１０】
そこで、本発明は、上記課題を解決するためのものであり、照明器具を厚くすることなく、常夜灯を略中心に設けた照明器具を提供することを目的とする。
【課題を解決するための手段】
【００１１】
本発明に係る照明器具は、光源と、常夜灯と、前記光源に電力を供給する回路基板を備える照明器具において、前記照明器具の略中央部には、回路基板ホルダを備えており、前記回路基板ホルダは、前記回路基板及び常夜灯基板を保持し、前記常夜灯基板には、常夜灯が設けられていることを特徴とする。
【００１２】
前記常夜灯基板は、常夜灯基板カバーを介して、前記保持部に保持されていることを特徴とする。
【発明の効果】
【００１３】
本発明に係る照明器具によれば、照明器具を厚くすることなく、常夜灯を略中心に設けることができる。
【図面の簡単な説明】
【００１４】
【図１】本発明の実施例１に関する照明器具の分解斜視図。
【図２】本発明の実施例１に関する照明器具の断面図。
【図３】本発明の実施例１に関する回路基板ホルダの斜視図。
【図４】本発明の実施例１に関する常夜灯基板カバーに装着された常夜灯基板の斜視図。
【図５】常夜灯基板カバーが装着された常夜灯基板が回路基板ホルダによって保持されている様子を示す斜視図。
【図６】回路基板ホルダがシャーシに嵌め合わされた様子及び常夜灯基板カバー４の装着された常夜灯基板を保持部が保持している様子を示す斜視図。
【図７】従来技術に関する説明図。
【図８】従来技術に関する説明図。
【発明を実施するための形態】
【００１５】
[実施例１]
本発明の実施例１について、図１から６を用いて説明する。図１は、本発明の実施例１に係る照明器具の分解斜視図について示している。１はセンターカバー、２は透光性カバー、３は回路基板カバー、４は常夜灯基板カバー、５は常夜灯基板、６は回路基板ホルダ、７はシャーシである。
【００１６】
センターカバー１は、ポリカーボネート樹脂等からなり、透光性カバー２に設けられている係合凹部１０と略同径の円板状の樹脂成形品である。また、透光性及び光拡散性を有しており、光源及び常夜灯から発光した光を拡散させる。センターカバー１には、リモートコントローラ（図示せず）からの信号を受信すべく円形状の穴８及び光源の調光を行うために、周囲の光を入射させるための円形状の穴９が設けられている。
【００１７】
透光性カバー２は、ポリカーボネート樹脂等からなる環状形状であって、透光性及び光拡散性を有しており、光源から発光した光を拡散させる。透光性カバー２の内周縁部には、センターカバー１を着脱可能に装着するために、係合凹部１０を設けている。また、透光性カバー２の外周縁には、周壁部１１が立設してなり、透光性カバー２は、前記周壁部１１にてシャーシ７の周壁部に取り付けられる。
【００１８】
回路基板カバー３は、回路基板を保護するために設けられる。図２に示すように、断面が略台形状をなした環状形状であり、内周縁部には周壁部１２が立設していて、該周壁部１２は、後述する回路基板ホルダ６を嵌め込む形状をなしている。また、図２において、２３は回路基板であり、光源２４に電力を供給する電源部品、制御回路を構成する回路部品を実装しており、ネジによってシャーシ７に固定される。回路基板カバー３は、シャーシ７に載置され、外縁部をネジ等により固定される。
【００１９】
回路基板ホルダ６は、回路基板２３を挟み込み、シャーシ７に嵌め合わされるように、照明器具の略中央部に固定される。図３は、回路基板ホルダ６を拡大した斜視図であり、図示するように、環状形状をなしていて、外縁部には、常夜灯基板５を保持するとともに、シャーシ７に嵌め合わせて固定させる保持部１３及び回路基板ホルダ６をシャーシ７に嵌め合わせて取り付けるための取り付け部１４を備えた形状をなしている。また、リモコン信号の受光部（図示せず）及び光源の調光のためのセンサ（図示せず）を突き出させる円形状の穴１６、１７である。
【００２０】
常夜灯基板５は、例えば、ＬＥＤからなる常夜灯１８を備えた基板である。常夜灯基板カバー４は、回路基板ホルダ６の保持部１３の係合部１５に係合させるための係合爪１９を備えている。
【００２１】
図４は、常夜灯基板カバー４が装着された常夜灯基板５について示している。また、破線として示す常夜灯１８は、常夜灯基板カバー４が装着される側の常夜灯基板５上に備えられていて、該常夜灯１８から発光した光は、常夜灯基板カバー４を通過し、センターカバー１において拡散されることにより、照明器具の略中心から照射される。また、図５は、保持部１３が、常夜灯基板カバー４の装着された常夜灯基板５を保持している様子を示している。
【００２２】
図６は、回路基板ホルダ６がシャーシ７に嵌め合わされた様子及び常夜灯基板カバー４の装着された常夜灯基板５を保持部１３が保持している様子を示している。図６（ｂ）は、図６（ａ）における保持部１３に該当する部分を中心に拡大して示している。保持部１３に対する常夜灯基板５の取り付けは、常夜灯基板カバー４の係合爪１９を係合部１５に係合させて取り付けている。
【００２３】
このように、回路基板ホルダに常夜灯基板を取り付けることにより、照明器具を厚くすることなく、常夜灯を略中心に設けることができる。
【００２４】
尚、本実施例においては、上述したように常夜灯基板カバーが装着された常夜灯基板を回路基板ホルダに保持させるとしたが、これに限らず常夜灯基板自体を回路基板ホルダに保持させるとしてもよいし、常夜灯のみを回路基板ホルダに設け、後述する回路基板に、常夜灯に電力を供給する電源部品を設けて常夜灯に電力を供給して発光させるとしてもよい。このような構成であっても照明器具を厚くすることなく、常夜灯を略中心に設けることができる。
【００２５】
回路基板ホルダ６は、回路基板カバー３の周壁部１２に嵌め合わされて取り付けられる。
【００２６】
シャーシ７は、中央に開設された取り付け穴２０、光源保持部２１及び回路基板２３を実装するための取り付け座として利用される支持環（図示せず）を備えている。図に示すように、シャーシ７はおよそ円板状をなしていて、外周縁には周壁部２２が立設する形状をなしていて、周壁部２２は透光性カバー２が備える周壁部１１を取り付ける。
【００２７】
図１のシャーシ７は、光源２４が、光源保持部２１によって保持されている様子を示している。シャーシ７は、アルミニウム板等の金属板の成形により一工程で製造することができる。
【００２８】
光源保持部２１は、断面がコの字状をなし、光源２４としての環状のＬＥＤモジュールを保持する。尚、本実施例においては、光源としてＬＥＤを用いているが、これに限らず、リング形の蛍光管であってもよい。
【００２９】
取り付け穴２０は、シャーシ７を天井等の被取付け部材に取り付けるためのものであり、シャーシ７の固定は、例えば、取り付け穴２０を天井面の該当位置に別途設けた固定用の枠体（図示せず）に嵌め込み、該枠体に固定具（図示せず）を係合させて、取り付け穴２０の周縁部を枠体と固定具との間に挟持することにより実現される。
【符号の説明】
【００３０】
１  センターカバー
２  透光性カバー
３  回路基板カバー
４  常夜灯基板カバー
５  常夜灯基板
６  回路基板ホルダ
７  シャーシ
【図１】
2014056724.tif 000003
【図２】
2014056724.tif 000004
【図３】
2014056724.tif 000005
【図４】
2014056724.tif 000006
【図５】
2014056724.tif 000007
【図６】
2014056724.tif 000008
【図７】
2014056724.tif 000009
【図８】
2014056724.tif 000010